(57)【特許請求の範囲】
【請求項１】
被写体を撮像することにより得られるディジタル画像データの出力が可能なディジタル・カメラに，着脱自在に装着可能なメモリ・カードであり，
上記ディジタル・カメラから出力されるディジタル画像データを記憶する画像データ記憶手段，
キーワードを入力するためのキーパッド，
上記キーパッドを用いたキーワードの入力案内と入力されたキーワードを表示する表示装置，
複数のキーワードの入力を許容する入力案内を上記表示装置に表示させるとともに，すべてのキーワードの入力が終了した旨の入力に応答して，入力されたキーワードを含む追加情報ファイルを生成する追加情報ファイル生成手段，および
上記追加情報ファイル生成手段によって生成された追加情報ファイルを記憶する追加情報ファイル記憶手段，
を備えたメモリ・カード。
【請求項２】
上記画像データ記憶手段と上記追加情報ファイル記憶手段とが同一のものである，請求項１に記載のメモリ・カード。
【請求項３】
被写体を撮像することにより得られるディジタル画像データの出力が可能なディジタル・カメラに，着脱自在に装着可能なメモリ・カードにおいて，
上記ディジタル・カメラから出力されるディジタル画像データを記憶する画像データ記憶手段，
キーワードを入力するためのキーパッド，
上記キーパッドを用いたキーワードの入力案内と入力されたキーワードを表示する表示装置，および
上記キーパッドから入力されたキーワードを含む追加情報ファイルを記憶する追加情報ファイル記憶手段を設け，
複数のキーワードの入力を許容する入力案内を上記表示装置に表示させるとともに，すべてのキーワードの入力が終了した旨の入力に応答して，入力されたキーワードを含む追加情報ファイルを生成し，生成した追加情報ファイルを上記追加情報ファイル記憶手段に記憶する，
メモリ・カードの制御方法。
【請求項４】
ディジタル画像データを記憶する画像データ記憶手段，およびキーワードを含む追加情報ファイルを記憶する追加情報ファイル記憶手段を備えたメモリ・カードが着脱自在に装着可能なディジタル・カメラであり，
被写体を撮像し，被写体像を表すディジタル画像データを出力する撮像手段，
上記メモリ・カードが装着された状態においてメモリ・カードの上記追加情報ファイル記憶手段に追加情報ファイルが格納されているかどうかを判定する判定手段，ならびに
追加情報ファイルが格納されていないと判定されたときには上記撮像手段から出力されるディジタル画像データをディジタル・カメラのメモリに一旦記憶した後に読み出して上記画像データ記憶手段に記憶する通常撮影モードの動作を，追加情報ファイルが格納されていると判定されたときには，追加情報ファイルのキーワードと上記撮像手段から出力されるディジタル画像データとを互いに関連づけて上記画像データ記憶手段に記憶する情報追加撮影モードの動作を行うように制御する制御手段，
を備えたディジタル・カメラ。
【請求項５】
上記メモリ・カードが，追加情報ファイルに関する情報を表示する表示装置，および上記表示装置に表示される追加情報ファイルに関する情報から追加情報ファイルを選択する入力手段を備えるものであり，
上記ディジタル・カメラには，上記メモリ・カードが上記ディジタル・カメラに装着されたときに上記表示装置に表示される追加情報ファイルに関する情報を見ることができ，かつ上記入力手段を用いて追加情報ファイルが選択可能な開口部が形成され，
上記制御手段は，選択された追加情報ファイルのキーワードとディジタル画像データとを互いに関連づけて記憶するように制御するものである，
請求項４に記載のディジタル・カメラ。
【請求項６】
ディジタル画像データを記憶する画像データ記憶手段，およびキーワードを含む追加情報ファイルを記憶する追加情報ファイル記憶手段を備えたメモリ・カードが着脱自在に装着可能であり，さらに被写体を撮像し，被写体像を表すディジタル画像データを出力する撮像手段を備えたディジタル・カメラにおいて，
上記メモリ・カードが装着された状態においてメモリ・カードの上記追加情報ファイル記憶手段に追加情報ファイルが格納されているかどうかを判定し，
追加情報ファイルが格納されていないと判定したときには上記撮像手段から出力されるディジタル画像データをディジタル・カメラのメモリに一旦記憶した後に読み出して上記メモリ・カードの画像データ記憶手段に記憶する通常撮影モードの動作を行い，追加情報ファイルが格納されていると判定したときには，追加情報ファイルのキーワードと上記撮像手段から出力されるディジタル画像データとを互いに関連づけて上記画像データ記憶手段に記憶する情報追加撮影モードの動作を行うよう制御する，
ディジタル・カメラの動作制御方法。
【発明の詳細な説明】
【０００１】
【技術分野】
この発明は，ディジタル・カメラに着脱自在に装着可能なメモリ・カードおよびその制御方法ならびにメモリ・カードを着脱自在に装着可能なディジタル・カメラに関する。
【０００２】
【発明の背景】
ディジタル・カメラを用いて被写体を撮像すると，被写体像を表す画像データが得られる。この画像データは，メモリ・カードなどの記録媒体に記録される。被写体を撮像した撮像日，撮像したときのシャッタ・スピード，絞り値などの比較的簡単な撮影情報を被写体像を表す画像データに関連づけて記憶することのできるディジタル・カメラもある。撮影情報が記憶されていると，その撮影情報をディジタル・カメラの液晶表示装置上に表示させることができる。
【０００３】
【発明の開示】
しかしながら，撮影情報以外のその画像に特有の情報，たとえば，撮影者の名前を画像に関連づけて記憶させることは考えられていない。工事現場でディジタル・カメラが用いられる場合には，その工事の種別を画像に関連づけて記録することが要望されているし，医療現場でディジタル・カメラが用いられている場合には，患者のＩＤ番号を画像に関連づけて記録することが要望されている。
【０００４】
この発明は，画像データに様々な情報を関連づけて記録することができるようにすることを目的とする。
【０００５】
この発明によるメモリ・カード（メモリ・カートリッジなどのカード状の記録媒体を含む）は，被写体を撮像することにより得られるディジタル画像データの出力が可能なディジタル・カメラに，着脱自在に装着可能なメモリ・カードであり，上記ディジタル・カメラから出力されるディジタル画像データを記憶する画像データ記憶手段，キーワードを入力するためのキーパッド，上記キーパッドを用いたキーワードの入力案内と入力されたキーワードを表示する表示装置，複数のキーワードの入力を許容する入力案内を上記表示装置に表示させるとともに，すべてのキーワードの入力が終了した旨の入力に応答して，入力されたキーワードを含む追加情報ファイルを生成する追加情報ファイル生成手段，および上記追加情報ファイル生成手段によって生成された追加情報ファイルを記憶する追加情報ファイル記憶手段を備えているものである。一実施態様では，上記画像データ記憶手段と上記追加情報ファイル記憶手段とは同一のものである。
【０００６】
この発明は，上記メモリ・カードの制御方法も提供している。すなわち，被写体を撮像することにより得られるディジタル画像データの出力が可能なディジタル・カメラに，着脱自在に装着可能なメモリ・カードにおいて，この発明によるメモリ・カードの制御方法は，上記ディジタル・カメラから出力されるディジタル画像データを記憶する画像データ記憶手段，キーワードを入力するためのキーパッド，上記キーパッドを用いたキーワードの入力案内と入力されたキーワードを表示する表示装置，および上記キーパッドから入力されたキーワードを含む追加情報ファイルを記憶する追加情報ファイル記憶手段を設け，複数のキーワードの入力を許容する入力案内を上記表示装置に表示させるとともに，すべてのキーワードの入力が終了した旨の入力に応答して，入力されたキーワードを含む追加情報ファイルを生成し，生成した追加情報ファイルを上記追加情報ファイル記憶手段に記憶するものである。
【０００７】
このようなメモリ・カードまたはその制御方法によると，次に述べるディジタル・カメラによって，追加情報ファイルのキーワードが画像データに対応づけて上記画像データ記憶手段または追加情報ファイル記憶手段に記憶されることとなろう。
【０００８】
このようなメモリ・カードは，次に示すディジタル・カメラにおいて用いられる。
【０００９】
この発明によるディジタル・カメラは，ディジタル画像データを記憶する画像データ記憶手段，およびキーワードを含む追加情報ファイルを記憶する追加情報ファイル記憶手段を備えたメモリ・カードが着脱自在に装着可能なディジタル・カメラであり，被写体を撮像し，被写体像を表すディジタル画像データを出力する撮像手段，上記メモリ・カードが装着された状態においてメモリ・カードの上記追加情報ファイル記憶手段に追加情報ファイルが格納されているかどうかを判定する判定手段，ならびに追加情報ファイルが格納されていないと判定されたときには上記撮像手段から出力されるディジタル画像データをディジタル・カメラのメモリに一旦記憶した後に読み出して上記画像データ記憶手段に記憶する通常撮影モードの動作を，追加情報ファイルが格納されていると判定されたときには，追加情報ファイルのキーワードと上記撮像手段から出力されるディジタル画像データとを互いに関連づけて上記追加情報ファイル記憶手段および上記画像データ記憶手段の少なくとも一方に記憶する情報追加撮影モードの動作を行うように制御する制御手段を備えるものである。
【００１０】
一実施態様においては，上記メモリ・カードが，追加情報ファイルに関する情報を表示する表示装置，および上記表示装置に表示される追加情報ファイルに関する情報から追加情報ファイルを選択する入力手段を備えるものである。そして，上記ディジタル・カメラには，上記メモリ・カードが上記ディジタル・カメラに装着されたときに上記表示装置に表示される追加情報ファイルに関する情報を見ることができ，かつ上記入力手段を用いて追加情報ファイルが選択可能な開口部が形成される。上記制御手段は，選択された追加情報ファイルのキーワードとディジタル画像データとを互いに関連づけて記憶するように制御する。
【００１１】
この発明は，上記ディジタル・カメラの動作制御方法も提供している。すなわち，この方法は，ディジタル画像データを記憶する画像データ記憶手段，およびキーワードを含む追加情報ファイルを記憶する追加情報ファイル記憶手段を備えたメモリ・カードが着脱自在に装着可能であり，さらに被写体を撮像し，被写体像を表すディジタル画像データを出力する撮像手段を備えたディジタル・カメラの動作制御方法である。この方法は，上記メモリ・カードが装着された状態においてメモリ・カードの上記追加情報ファイル記憶手段に追加情報ファイルが格納されているかどうかを判定し，追加情報ファイルが格納されていないと判定したときには上記撮像手段から出力されるディジタル画像データをディジタル・カメラのメモリに一旦記憶した後に読み出して上記メモリ・カードの画像データ記憶手段に記憶する通常撮影モードの動作を行い，追加情報ファイルが格納されていると判定したときには，追加情報ファイルのキーワードと上記撮像手段から出力されるディジタル画像データとを互いに関連づけて上記追加情報ファイル記憶手段および上記画像データ記憶手段の少なくとも一方に記憶する情報追加撮影モードの動作を行うよう制御するものである。
【００１４】
メモリ・カードにあらかじめ，画像データに関連づけたいキーワードを入力しておき，そのキーワードに関する被写体を撮像し，画像データとキーワードとを関連づけてメモリ・カードに記憶させることができる。キーワードと画像データは互いに関連づけて上記画像データ記憶手段および上記追加情報ファイル記憶手段の少なくとも一方に記憶される。キーワードには，上述したように工事種別，患者のＩＤ番号，撮影者の名前などを表すものがあり，文字，数字，符号のいずれであってもよい。
【００１５】
メモリ・カードに含まれる上記画像データ記憶手段と上記追加情報ファイル記憶手段とは同一のものであってもよいし，異なるものであってもよい。
【００１６】
【実施例の説明】
図１は，メモリ・カードの外観を示している。
【００１７】
メモリ・カード１の上面のほぼ下半分の領域には，キーワード（文字，符号を含む）を入力するためのキーパッド３が形成されている。キーパッド３には，「０」から「９」までの数字とア，カ，サ，タ，ナ，などの五十音の各行の最初の文字がカタカナで記されている。キーパッド３には，上矢印キー，下矢印キー，左矢印キー，右矢印キー，カナ・キー，消去キー（Del ）およびエンター・キー（En）が含まれている。これらのキーを組み合わせて使用することにより所望のキーワード（キャラクタ）を入力することができる。
【００１８】
たとえば，五十音の各行の最初の文字を入力するのであれば，対応する文字が記されているキーが押され，その後左矢印キーが押されることにより入力した文字が確定する。五十音の各行以外の文字を入力するのであれば，五十音のうち，入力しようとする文字が含まれている行の最初の文字をまず，押す。文字を繰り返し押すことにより，入力しようとする文字の行に含まれる文字が順次表示画面２上に現れる。入力しようとする文字が現れたあとで左矢印キーが押されることにより，その文字が確定する。
【００１９】
メモリ・カード１の上面の上半分には，液晶表示装置の表示画面２が形成されている。液晶表示装置の表示画面２上にキーパッド３から入力されたキーワードが表示される。
【００２０】
メモリ・カード１の左側面４には，ディジタル・カメラに着脱自在に装着するためのコネクタ４が形成されている。
【００２１】
図２は，メモリ・カード１の電気的構成を示すブロック図である。
【００２２】
メモリ・カード１の全体の動作は，ＣＰＵ６によって統括される。
【００２３】
メモリ・カード１には，メモリ・カード１の動作プログラムを格納したプログラム・メモリ11が含まれている。メモリ・カード１は，プログラム・メモリ11に格納されているプログラムにしたがって動作する。
【００２４】
キーパッド３から入力されたキーワードを表す信号は，キーパッド・コントローラ９に与えられ，キーワードを表すデータに変換される。キーワードを表すデータは，メモリ８に記憶される。また，キーワードを表すデータは，液晶コントローラ10にも与えられる。液晶コントローラ10によって液晶表示装置２（液晶表示装置も表示画面と同じ符号を用いる）が制御され，入力されたキーワードが表示画面上に表示される。
【００２５】
メモリ・カード１には，漢字ＲＯＭ７が含まれており，液晶表示装置２に漢字を表示することができる。
【００２６】
PCMCIA（Personal Computer Memory Card International Association ）インターフェイス５に，コネクタ４が含まれている。PCMCIAインターフェイス５により，ディジタル・カメラから与えられるディジタル画像データをメモリ・カード１に入力することができる。メモリ・カード１に入力した画像データは，メモリ８に記憶される。
【００２７】
メモリ８に画像データおよびキーワード・データを記憶するようにしているが，メモリ・カード１に画像メモリ12を設け，ディジタル・カメラから入力した画像データを画像メモリ12に記憶するようにしてもよい。
【００２８】
また，メモリ・カード１には電源が含まれているのはいうまでもない。
【００２９】
図３は，メモリ・カード１にキーワードを入力するときの処理手順を示すフローチャートである。
【００３０】
メモリ・カード１には，複数のキーワードを入力することができる。キーワード入力をユーザに促すために液晶表示装置の表示画面２に「Keyword ｎは？」（ｎはキーワードの項目番号）という文字が表示される（ステップ21）。初めてキーワードを入力する場合であれば，「Keyword １は？」という文字が表示されることとなる。
【００３１】
液晶表示装置２の表示にしたがって，キーパッド３を用いてユーザによってキーワードが入力される（ステップ22）。１つのキーワード入力が終了すると，キーパッド３の中のEnter キーが押される（ステップ23）。
【００３２】
キーワードの入力が終了すると，液晶表示装置の表示画面２には，すべてのキーワードの入力が終了したかどうかを確認するためのメッセージが現れる（ステップ24）。すべてのキーワードの入力が終了した場合には，ユーザによってキーパッド３のうち「１」のキーが押される。ステップ21からステップ25までの一連の処理により１つの追加情報ファイルが生成される。キーワードの入力が続行される場合には，キーパッド３のうち，「１」以外のキーが押される。
【００３３】
キーワードの入力が続行される場合には，キーワードの項目番号ｎがインクレメントされる（ステップ25）。
【００３４】
すべてのキーワードの入力が終了した場合には，入力されたキーワードを表すデータがキーパッド・コントローラ９によってメモリ８に書き込まれる（ステップ26）。
【００３５】
図４は，メモリ８のディレクトリ構成を示している。
【００３６】
メモリ８には，追加情報ファイルを記憶するために「ＩＮＦＯ１０」という名前をもつディレクトリが形成される。この「ＩＮＦＯ１０」の名前をもつディレクトリによって追加情報ファイルが管理される（INF00001.TXT，INF00002.TXT，INF00003.TXTなどが追加情報ファイルである）。
【００３７】
図５は，追加情報ファイルINF00001.TXTの内容を示している。
【００３８】
この追加情報ファイルには，４つのキーワードＫ１（フジサン），Ｋ２（トザンクラブ），Ｋ３（アキ）およびＫ４（ワタナベミキオ）が含まれている。カタカナで表示されているが漢字表示（富士山，登山クラブ，秋，渡辺幹緒）できるのはいうまでもない。
【００３９】
図６から図８は，図１に示すメモリ・カード１を着脱自在に装着可能なディジタル・カメラの外観を示している。
【００４０】
図６は，ディジタル・カメラを正面から見た斜視図である。
【００４１】
ディジタル・カメラ30のほぼ正面には，撮像レンズ34が形成されている。この撮像レンズ34の上方には，光学的ビュー・ファインダ32が形成されている。光学的ビュー・ファインダ32の右側には，ストロボ33が設けられている。
【００４２】
ディジタル・カメラ30の上面には，シャッタ・レリーズ・ボタン31が形成されている。
【００４３】
図７は，ディジタル・カメラを背面から見た斜視図である。
【００４４】
ディジタル・カメラ30の背面には，ほぼ全体に渡って開口36があけられている。
【００４５】
また，ディジタル・カメラの右側面には，メモリ・カード１を装着するための縦長の開口35が形成されている。
【００４６】
図８は，ディジタル・カメラにメモリ・カードを装着した様子を示すもので，ディジタル・カメラを背面から見た斜視図である。
【００４７】
液晶表示装置の表示画面２がディジタル・カメラ30の背面側となり，かつメモリ・カード１のコネクタ４が奥に入るように，メモリ・カード１がディジタル・カメラ30の右側面に形成されている開口35から挿入される。
【００４８】
メモリ・カード１がディジタル・カメラ30の奥まで入れられると，メモリ・カード１のコネクタ４とディジタル・カメラ30に形成されているコネクタ（図示略）とが装着され，ディジタル・カメラ30とメモリ・カード１とが電気的に接続される。
【００４９】
メモリ・カード１がディジタル・カメラ30に装着されると，メモリ・カード１に形成されている液晶表示装置の表示画面２およびキーパッド３がディジタル・カメラ30の開口36に対向する。ディジタル・カメラ30にメモリ・カード１を装着した状態でメモリ・カード１の表示装置の表示画面２に表示されている情報を見ることができ，かつキーパッド３を用いて操作ができる。
【００５０】
図９は，ディジタル・カメラの電気的構成を示すブロック図である。
【００５１】
ディジタル・カメラ30の全体の動作は，ＣＰＵ42によって統括される。
【００５２】
撮像装置41には，撮像レンズ34が含まれている。撮像装置41によって被写体が撮像され，被写体像を表す画像データが得られる。シャッタ・レリーズ・ボタン31の押し下げを示す信号は，ＣＰＵ42に入力する。シャッタ・レリーズ・ボタン31が押されることにより，撮像によって得られた画像データは，メモリ・コントローラ45の制御のもとにメモリ44に記憶される。
【００５３】
メモリ44に記憶された画像データは，メモリ・コントローラ45によって読み出される。読み出された画像データは，カード・コントローラ43によってディジタル・カメラ30に装着されているメモリ・カード１のメモリ８に記憶される。
【００５４】
ディジタル・カメラ30には，ストロボ制御装置46も含まれている。このストロボ制御装置46によって，ストロボ33の発光が制御される。
【００５５】
図10は，ディジタル・カメラを用いて被写体を撮像する場合の処理手順を示すフローチャートである。
【００５６】
ディジタル・カメラ30にメモリ・カード１が装着されると，その装着されたメモリ・カード１に追加情報ファイルが格納されているかどうかが確認される（ステップ51）。メモリ・カード１に追加情報ファイルが格納されていなければ通常の撮影モードとなる。メモリ・カード１に追加情報ファイルが格納されていれば情報追加撮影モードとなる。
【００５７】
情報追加撮影モードにおいては，メモリ・カード１の表示装置の表示画面２には，図８に示すようにメモリ・カード１に記憶されている追加情報ファイルのファイル名が表示される。表示画面には，カーソル13が表示されており，下矢印キーが押されることにより下方向に移動し，上矢印キーが押されることにより上方向に移動する。エンター・キーが押されることにより，カーソル５で示されている追加情報ファイルが選択される（ステップ52）。ユーザは，これから撮像しようとする被写体に対応したキーワードが格納されている追加情報ファイルを選択する。必要に応じて追加情報ファイル内のキーワードが確認されよう。
【００５８】
選択された追加情報ファイルがメモリ・カード１のメモリ８から読み出され，ディジタル・カメラ30内のメモリ44に書き込まれる（ステップ53）。
【００５９】
シャッタ・レリーズ・ボタン31が押され，選択された追加情報ファイルに格納されているキーワードに対応する被写体が撮像される（ステップ54）。被写体を撮像することにより被写体像を表す画像データが得られる。この画像データは，ディジタル・カメラ30のメモリ44に一時的に記憶される。
【００６０】
ヘッダ情報がディジタル・カメラ30からメモリ・カード１に与えられ，メモリ・カード１のメモリ８に書き込まれる（ステップ55）。また，ディジタル・カメラ30のメモリ44に一時的に書き込まれた追加情報が読み出され，メモリ・カード１のメモリ８に書き込まれる（ステップ56）。さらに，撮像によって得られた被写体像を表す画像データがディジタル・カメラ30のメモリ44から読み出され，メモリ・カード１のメモリ８に書き込まれる（ステップ57）。
【００６１】
撮像した画像データによって表される被写体像に対応した追加情報（キーワード）が，画像データに関連づけられて（同じファイル内に格納されて）メモリ・カード１に記憶されることとなる。追加情報と画像データはメモリ・カードのメモリ８または画像メモリ12の少なくとも一方に記憶されればよい。
【００６２】
図11は，画像データが格納されたメモリ・カード１のメモリ８のディレクトリ構成を示している。
【００６３】
メモリ８には，「ＩＮＦＯ１０」という名前をもつディレクトリのほかに「ＩＮＦＯ１０」とは異なる「ＩＭＦＩＤＸ１０」の名前をもつディレクトリが形成される。この「ＩＭＦＩＤＸ１０」の名前をもつディレクトリによって画像ファイルが管理される（DSC00001.JPG,DSC00002.JPG,DSC00003.JPGが画像ファイルである）。
【００６４】
図12は，画像ファイルDSC00001.JPGの内容を示している。
【００６５】
画像ファイルには，ヘッダ記録領域と画像データ記録領域とが含まれている。
【００６６】
ヘッダ記録領域には，所定の管理情報が記録されるほかに選択された追加情報ファイルに格納されているキーワードが記録される。ここでは，追加情報ファイルINF00001.TXTが選択され，この追加情報ファイルINF00001.TXTに格納されているキーワードが画像ファイルのヘッダ記録領域に記憶されている。ヘッダ記録領域内において，キーワードが始まることを示すデータも記録されている。
【００６７】
画像データ記録領域には，撮像によって得られた圧縮画像データが記録される。画像データ記録領域には，量子化テーブルも記録されている。画像データの圧縮は，ディジタル・カメラ30のＣＰＵ42によって行われているのはいうまでもない。
【００６８】
あらかじめ定められたキーワードを画像データに対応して，記録できるようになる。画像をモニタ表示装置で表示したり，印刷してその画像を確認することなく，キーワードを用いて画像データを検索することが可能となる。
【図面の簡単な説明】
【図１】メモリ・カードの外観を示している。
【図２】メモリ・カードの電気的構成を示すブロック図である。
【図３】メモリ・カードにキーワードを記憶するときの処理手順を示すフローチャートである。
【図４】メモリ・カードのディレクトリ構成を示している。
【図５】追加情報ファイルに格納されているキーワードの内容を示している。
【図６】ディジタル・カメラを正面から見た外観図である。
【図７】ディジタル・カメラを背面から見た外観図である。
【図８】メモリ・カードが装着されたディジタル・カメラを背面から見た外観図である。
【図９】ディジタル・カメラの電気的構成を示すブロック図である。
【図１０】ディジタル・カメラの処理手順を示すフローチャートである。
【図１１】メモリ・カードのディレクトリ構成を示している。
【図１２】画像ファイルの構成を示している。
【符号の説明】
１  メモリ・カード
２  液晶表示装置
３  キーパッド
５  PCMCIAインターフェイス
６，42  ＣＰＵ
８  メモリ
30  ディジタル・カメラ
36  開口
41  撮像装置
【図１】
0004602495.tif 000002
【図２】
0004602495.tif 000003
【図３】
0004602495.tif 000004
【図４】
0004602495.tif 000005
【図５】
0004602495.tif 000006
【図６】
0004602495.tif 000007
【図７】
0004602495.tif 000008
【図８】
0004602495.tif 000009
【図９】
0004602495.tif 000010
【図１０】
0004602495.tif 000011
【図１１】
0004602495.tif 000012
【図１２】
0004602495.tif 000013